(57)【特許請求の範囲】
【請求項１】
既存の波除の陸地側に、スクリューが付いたレッカー車で穴を掘り、柱（２）を２列以上に多数設置し、既存の波除を超える波（５）を該柱（２）に当たるようにして、該波のエネルギーを分散させることを特徴とする波による被害の低減方法。
【請求項２】
建造物（４）の周囲に塀（３）を設置するとともに、該塀（３）の内側に雨の排水用の穴を設け、該塀（３）を超えて入った波（５）による海水（６）を該塀（３）の内側に所定の時間滞留させることによって、建造物（４）の基礎を滞留させた海水（６）の水面下とすることによって、後続の波による被害を低減させることを特徴とする波による被害の低減方法。
【発明の詳細な説明】
【技術分野】
【０００１】
本発明は、波を砕くことと、波の海水を溜めることで、波のエネルギーを少なくし、被害を少なくする波による被害の低減方法に関するものである。
【背景技術】
【０００２】
波は、水粒子の上下運動で水面が昇降し、その波形が周囲に伝わっていく運動である。ふつう表面波とよばれる、さざ波、風波、うねり、津波、潮汐波などがある。海の波の表面波は、波（５）を防ぐため、図５の断面図のように従来の波除（１）がある。この図は、一般的な海岸の断面図である。その図は、高い波（５）が台風などで、従来の波除（１）を越えて、波（５）が建造物（４）を破壊しているところである。
【０００３】
すると、台風の高い波（５）で大きな被害があり、建造物（４）は破壊されてしまった。その一度の被害を教訓に、その被害を無くすため、補強の波除（１ａ）を、図６の断面図のように、従来の波除（１）を改造して、補強の波除（１ａ）を作り、高い波（５）を防いでいた。
【０００４】
また、図７の断面図のように、裏に山（７）などがある建造物（４）の神社は、波除が付いていなかった。その神社に、台風の高い波（５）で被害を受けていたが、建造物（４）が神社である場合、その歴史上の財産を、移動さすわけには行かなかった。また岸壁にある建造物（４）や従来の波除（１）がある場合にも、高い波（５）をかぶり被害があった。
【先行技術文献】
【特許文献】
【０００５】
【特許文献１】特開２００６−２２５９９６
【特許文献２】特開２００４−１００２３１
【発明の概要】
【発明が解決しようとする課題】
【０００６】
従来の波除（１）を改造して、補強の波除（１ａ）を設置していたが、囲い過ぎたため、風が通らなくなって、蒸し風呂のようになっていた。そこに住む人は、夏の暑さを比べてみると、以前の方が良かったと言っている。
【０００７】
また、裏に山（７）などがある建造物（４）の神社は、台風の高い波（５）で被害を受けていたが、建造物（４）が神社である場合、その歴史上の財産を移動さすわけには行かなかった。それに高い波（５）は、波が破壊するだけでなく、引き波が周囲の物を持っていく性質があった。また、波除付いている場所にも、周囲を囲っていないため、波の被害があった。
【０００８】
そこで、本発明の波による被害の低減方法は、従来の波除（１）の内側に柱（２）を多数設置することで、大きな波（５）は柱（２）に当たり、砕けて波（５）エネルギーが分散して、被害が少なくなるものと、塀（３）で囲うことで、塀（３）の中に海水（６）を溜め、海水（６）があることで、波（５）の力を小さくする波による被害の低減方法を提供するものである。
【課題を解決するための手段】
【０００９】
上記目的を達成するために、本発明の波による被害の低減方法は、従来の波除（１）の内側に柱（２）を多数設置することで、大きな波（５）は柱（２）に当たり、波（５）のエネルギーを分散させることで、被害が少なくなることで目的を達成した。
【００１０】
請求項２の波による被害の低減方法は、周りに塀（３）を設置して、波（５）で塀（３）の内側に海水（６）が溜まり、海水（６）があることで、塀（３）の中の建造物（４）は、海水（６）によって、高い波（５）の被害を少なくすることで目的を達成した。
【発明の効果】
【００１１】
本発明の波による被害の低減方法は、次のような効果がある。
（イ）高波のときは、柱に当たって波のエネルギーが少なくなる。
（ロ）津波のときは柱に当たって、少しずつ流れて出るので、波のエネルギーが少なくなる。
（ハ）津波の引き波は、柱があるので一度に流れ出ない。
（ニ）津波の引き波は柱があるので、その柱に物が引っ掛かり、さらに海側に流れる海水を規制する。
（ホ）従来の防波堤より、設置する費用が少ない。
（ヘ）柱は、風が通る。
（ト）請求項２の波による被害の低減方法は、塀の中へ海水を溜めることで、海水の波のエネルギーを吸収するため、建造物を少被害にとどめる。
【図面の簡単な説明】
【００１２】
【図１】波除の柱の側面から見た断面図である。
【図２】波除の柱の平面図である。
【図３】波に対する柱の、役目を現した平面の模式図である。
【図４】波除の柱で、引き波を現す側面から見た断面図である。
【図５】従来の波除を、側面から見た断面図である。
【図６】従来の波除に、補強の波除を設置した断面図である。
【図７】従来の神社の建造物に、高い波がきたときの断面図である。
【図８】請求項２の引き波の断面図である。
【図９】請求項２の高い波がきたときの断面図である。
【発明を実施するための最良の形態】
【００１３】
波による被害の低減方法の柱（２）は、従来の波除（１）の手前に、柱（２）を２列にして、多数の柱（２）を取り付ける。その柱（２）の直径を１とすると、１の幅の同間隔を開けて設置して、少被害の波除にする。従来の波除（１）を、波（５）が越えるぐらいの高い波（５）が起きたときは、柱（２）は波（５）を完全に防ぐ物ではないが、柱（２）は波（５）を砕いて、被害を少なくする。
【００１４】
そして取り込んだ海水（６）は、その場に止まるので、引き波（５）のとき、周りの物の浮遊物（８ａ）を海中に取られることがなく、柱（２）に引っ掛かり、海水（６）が海に戻るのを規制する。そうすると、次の高い波（５）が来たときには、そこには海水（６）があるため、波（５）の破壊するエネルギーは、その海水（６）によって少なくなる。その理由は、下に海水（６）が溜まっている場合には、海水（６）によって固定されるものだから、波（５）のエネルギーは、止まっている海水（６）を動かすのに使用するため、そのエネルギーは半減する。
【００１５】
つまり、水害にあったのだから、濡れることは仕方がないが、建造物（４）さえ残っていれば再建は簡単である。その柱（２）を立てる施工法は、電柱を立てるのと同じであるから、早い場所では一日で作業を済ませることができる。その方法は、電柱を立てるスクリューの付いたレッカー車で、穴を堀、柱（２）を立て、その穴を掘った土砂を元に戻しているだけであるから、簡単である。
【００１６】
請求項２の波による被害の低減方法は、周りに塀（３）を設置して、その塀（３）は雨水が溜まらないように穴が開いているが、高い波（５）がきた場合には、塀（３）の中へ溜める位の穴の小ささが必要である。その穴は、雨水には有効なくらいの穴を計算して開け、そして高い波（５）で塀（３）の内側に海水（６）が溜まる、くらいの穴を開ける。その海水（６）があることで、引き波の被害が少なく、塀（３）の中の建造物（４）は、波（５）の大部分のエネルギーは、海水（６）が溜まった部分から上の、波（５）の成分しか移動しないので、波（５）の成分の殆どが残らないため、高い波（５）の被害を少なくする。
【実施例１】
【００１７】
本発明の波による被害の低減方法を、図面を参照して説明する。
図１は、柱（２）は鉄筋の入ったコンクリートで、強度を増すために、外側には強化プラスチックを巻いており、それを２列に並べているが、３列や４列ならもっとよい。そして波（５）は、凡そ時速５０キロメートルで柱（２）に当たる。すると、海側にある外柱（２ａ）に波（５）が当たり、時速２５キロメートルになる。その波（５）は、外柱（２ａ）の間から抜けて、内柱（２ｂ）に当たり時速１２．５キロメートルになる。その抵抗が、波（５）のエネルギーの、破壊する力を少なくする。そして、その柱（２）の形は、円柱の他、三角柱、四角柱の方が波（５）を防ぐのには良いが、電柱が丸いので、丸い柱（２）で説明する。
【００１８】
したがって、建造物（４）は浸水するが、建造物（４）は残る柱（２）があるため、波（５）は直接建造物（４）には当たらず、床から徐々に浸水する。床から浸水するのを防ぐのなら、補強の波除（１ａ）を設置しないとならないが、夏の暑さから比べらば建造物（４）が残るためと、建設費用が少ないことをから、柱（２）を立てることを勧める。
【００１９】
図２は、図１の状態を上から見た平面図である。その図は高い波（５）の最初の物が来たところで、建造物（４）には、まだ海水（６）がきていないところである。そして、波（５）は斜線で現し、従来の波除（１）は波（５）に浸かった状態である。そして、高い波（５）が２回、３回と来るうちには、徐々に建造物（４）は浸水する。
【実施例２】
【００２０】
使用例で、台風などで高い波（５）が起きたときの説明を、図１を参照して説明する。普段は従来の波除（１）で十分、波（５）を止める役目を果たしているが、台風が来ると高潮になる。それは気圧が９８０ｈｐａで、その他の所が１０１３ｈｐａなのに比べて、３３ｈｐａも低いため、３３０ミリ海面が上昇する。
【００２１】
そして、風が大量の波（５）となり、海水を風下へ移動さし、海面は２メートル上がり、海水（６）を岸壁に打ち付け、その高さは２．３３メートルに達し、その上波（５）が６メートルあると、従来の波除（１）では防ぎきれないものであった。そこで、従来の波除（１）と建造物（４）の間に柱（２）を立てて、被害を少なくするものである。
【００２２】
その柱（２）は、海側に外柱（２ａ）を、柱（２）の直径と同じ間隔を開けて設置する。その方法は、電信柱を立てるのと同じく、柱（２）の長さの３分の１を堀、その穴の中に柱（２）を立てる。そして、掘った土砂を柱（２）と穴の間に入れると、倒れない状態になる。
【００２３】
次に、外柱（２ａ）と建造物（４）の間に、内柱（２ｂ）を設置する。その柱（２）が、１本だけ折れても被害が大きくなるので、柱（２）の上部には転倒防止のため、ワイヤーや金具で固定する。
【００２４】
すると、大きな波（５）がきた場合に、柱（２）の役目を図３の模式図で説明する。最初の外柱（２ａ）に波（５）が当たり、その波（５）は矢印Ａのように、柱（２）が抵抗になり、柱（２）を回って矢印Ｂが内柱（２ｂ）に当たる。そして、外柱（２ａ）と内柱（２ｂ）を避けた矢印Ｃは、建造物（４）の方に流れる。
【００２５】
しかし、その波（５）は最初に時速５０キロメートルの速度エネルギーがあったものが、外柱（２ａ）に当たり、半分の時速２５キロメートルに速度エネルギーが落ち、次の内柱（２ｂ）が、更に半分の時速１２．５キロメートルに速度エネルギーが落ちる。時速１２．５キロメートルに速度エネルギーが落ちた、柱（２）の間の狭い場所から噴出した海水（６）は、広い場所に出るので、約時速６キロメートルに速度エネルギーが落ち、建造物（４）を浸水さす。
【００２６】
そして、波（５）の海水（６）の中にある浮遊物（８ａ）が、柱（２）の間に引っ掛かり、さらに速度を落とす。したがって、波（５）は直接当たらないため、建造物（４）は床上浸水はしても、建造物（４）は残る。建造物（４）が残れば、復旧は簡単である。
【実施例３】
【００２７】
使用例で、津波で高潮が起きたときの説明を、図１を参照して説明する。普段は従来の波除（１）で十分、小さな波を止める役目を果たしているが、津波が来ると海面が上がる。では、１０メートルの津波が襲った時の説明をする。
【００２８】
津波が大量の海水（６）を岸壁に打ち付け、その高さは従来の波除（１）では防ぎきれないものであった。そこで、従来の波除（１）と建造物（４）の間に柱（２）を立てて、被害を少なくするものである。従来の波除（１）は、波（５）を防ぐためにかなりな効果があったが、一旦その従来の波除（１）を越えると、海水（６）は一変に流れ込み、避難することが不可能であった。そこで、柱（２）を設置すると、波（５）のエネルギーは砕かれ少なくなるが、波（５）の海水（６）は、従来の波除（１）を越えたときから、徐々に浸水し始めるので、逃げることができる可能性がある。
【００２９】
その柱（２）は、海側に外柱（２ａ）を、柱（２）の直径φ３００と同じ間隔を開けて設置する。その方法は、電信柱を立てるのと同じく、柱（２）の長さの２４メートルの３分の１を堀、その穴の中に柱（２）を立てる。したがって、地上に出ている柱（２）は１６メートルである。
【００３０】
次に、外柱（２ａ）と建造物（４）の間に内柱（２ｂ）を設置する。その柱（２）が、１本だけ折れても被害が大きくなるので、柱（２）の上部には転倒防止のためワイヤーや金具で固定する。その間隔は、外柱（２ａ）と外柱（２ａ）が同じ間隔で、内柱（２ｂ）は外柱（２ａ）と外柱（２ａ）の間に取り付け、外柱（２ａ）と内柱（２ｂ）とも同じ間隔になるように柱（２）を取り付けると、柱（２）の上部には転倒防止のための金具は、一つのサイズで、固定することかできる。
【００３１】
すると、大きな津波（５）が来た場合に、柱（２）の役目を図３の模式図で説明する。最初の外柱（２ａ）に波（５）が時速５０キロメートルの速度エネルギーで当たり、その波（５）は矢印Ａのように、柱（２）を回って矢印Ｂと合流して、波（５）が時速２５キロメートルの速度エネルギーで建造物（４）の方に流れるが、速度エネルギーは殆ど残っていない。
【００３２】
その波（５）を圧力から説明すると、最初１０，０００キログラム／平方メートルの圧力があったものが、外柱（２ａ）に当たり、半分の５，０００キログラム／平方メートルの圧力になる。そして、次の内柱（２ｂ）が、更に半分の半分の波（５）が時速１２キロメートルの速度エネルギーが流れ出て、２，５００キログラム／平方メートルの圧力になり、建造物（４）に当たるときには速度エネルギーは殆ど無く、ゆっくりと浸水する。
【００３３】
そして、その２０分後、引き波（５）がきて、先程とは逆に内柱（２ｂ）の抵抗と、外柱（２ａ）の抵抗で海水（６）は排出されるが、排出される時に軽い浮遊物（８ａ）が柱（２）の間に引っ掛かり、排出される量は少なくなる。その状態を現した図が、図４である。海水（６）は、建造物（４）より高い１０メートルのところに海水面があり、海は引き波（５）で海底が現れるぐらいに下がっている。柱（２）を境に、陸地に上がった海水（６）は、海に戻ろうとするが自動車（８）や浮遊物（８ａ）が柱（２）に引っ掛かり、陸に上がった海水（６）は容易に排出されない。
【００３４】
したがって、４０分後に第２波（５）が来た時には、建造物（４）は殆ど海水（６）に漬かっているので被害が少ない。また、海に浮かんでいた船が、柱（２）に引っ掛かり陸へ流れ込む海水（６）を規制する。
【００３５】
また、自動車（８）や浮遊物（８ａ）は、柱（２）に引っ掛かるので、海の再開が早い。つまり、海の物は海に、陸地の物は陸地にあり、自動車（８）とか浮遊物（８ａ）は、柱（２）に引っ掛かり、海の物とは一緒にはならない。したがって、陸地の物を、海に探しに行かなくて良い。
【００３６】
したがって、建造物（４）は床上浸水しても、建造物（４）は残る。しかし、建造物（４）の家の戸や、窓を開けていないと、家は浮力をもって、船のように流れるので、注意が必要である。
【実施例４】
【００３７】
図８は、請求項２の波による被害の低減方法の断面図であり、高い波（５）で塀（３）の中に海水（６）が溜まっており、海は波（５）の低い状態を現している。そして、台風などで高潮になったときの状態を、図９の断面図で現している。その図のように高い波（５）は、建造物（４）の塀（３）を遥かに越えている。そして引き波（５）が来たとき、図８のように建造物（４）の周りに塀（３）を、８０坪の敷地に、ブロック３個分の、６０センチを周囲に設置する。  この波による被害の低減方法の塀（３）が、従来の波除（１）との違いは、全体を塀（３）で囲ったことで、海水（６）を塀（３）の中に溜めることである。したがって、余りにも建造物（４）の敷地の大きいとき、１００坪以上あるような場合には、波（５）で海水（６）が塀（３）の中に溜まらない。そして、台風の最も大きな波（５）が通り過ぎてから、溜まるのでは役にたたないので、塀（３）を細かく分ける必要がある。
【００３８】
その塀（３）は、雨水が毎時１００ミリ降ったとして、およそ２４トンを排出されるぐらいの４００平方センチの穴が、８０坪の敷地の場合に付いている。したがって、高い波（５）の、一度の波（５）で、２００トンの海水（６）が流れ込むとして、１度の波（５）の、２００トンの海水（６）が、排出されるまでには１時間がかかる。したがって、１度の波（５）の海水（６）で、排出される排出口は、波（５）には殆ど役に立たない。そして、実際の波（５）は徐々に大きくなり、塀（３）の中に海水（６）が溜まり、少しずつ塀（３）の中の建造物（４）が浸水するので、最初の１つの波（５）で、２００トンの海水（６）が塀（３）の中に溜まり、浸水するわけではない。
【００３９】
塀（３）の内部を、海水（６）で満たした建造物（４）は、次の高波（５）が来たときには、塀（３）の上の、レベルの波（５）が来るが、１つの波（５）で２００トンの海水（６）が流れても、波（５）のエネルギーは、建造物（４）の基礎を海水（６）で固定されているので、被害は少ない。
【００４０】
つまり、周りに塀（３）を設置して、高い波（５）で、塀（３）の内側に海水（６）が溜まると、その海水（６）の中にある建造物（４）を、破壊するほどの波（５）のエネルギーは無い。その海水（６）があることで、塀（３）の中の建造物（４）は、波（５）のエネルギーの大部分の海水（６）が、溜まった部分から上の波（５）の成分しか残らないため、高潮の被害を少なくする。
【００４１】
これを物理的に説明すると、溜まった海水（６）の速度エネルギーが０で、図９の波（５）が、破壊するように建造物（４）に当たっても、時速５０キロメートルの運動エネルギーは、止まっている海水（６）と混ざり、速度エネルギーを取られ、海水（６）は時速１０キロメートルの運動エネルギーが残るだけである。したがって、時速１０キロメートルの運動エネルギーでは、建造物（４）が破壊されることはない。
【産業上の利用可能性】
【００４２】
このように被害を食い止めることではなく、被害を少なくすることを目的とすることで、港に設置した防波堤も、その構造は改めるところがある。それは、防波堤では津波は防止できないことを前提に、防波堤は櫛の刃のようにして、下側は穴が開いている。
【００４３】
高い波（５）で、被害が起こるのは満潮のときで、干潮のときは起こらない物であるから、櫛の刃のようにする。津波のときは、櫛の刃から海水が供給されるので、港の出入り口が渦を巻くことがない。したがって、停泊している船は上下に動くだけで、破壊するほどのエネルギーは発生しない。
【符号の説明】
【００４４】
１  従来の波除      ２  柱      ２ａ  外柱        ２ｂ  内柱
３  塀      ４  建造物          ５  波      ６  海水      ７  山
８  自動車      ８ａ  浮遊物
【図１】
0005467609.tif 000002
【図２】
0005467609.tif 000003
【図３】
0005467609.tif 000004
【図４】
0005467609.tif 000005
【図５】
0005467609.tif 000006
【図６】
0005467609.tif 000007
【図７】
0005467609.tif 000008
【図８】
0005467609.tif 000009
【図９】
0005467609.tif 000010